(57)【要約】【課題】  オーディオ編集記録再生装置において、タイムコードの不連続箇所でオーディオデータを区切って記録する。【解決手段】  オーディオ編集記録再生装置において、オーディオデータ及び該オーディオデータに付随するタイムコードを記録媒体に記録する記録手段と、オーディオデータを編集し編集内容を記述した編集リストを作成する編集手段と、記録媒体に記録されたオーディオデータを編集リストに従って再生する再生手段と、オーディオデータに付随するタイムコードの不連続箇所を検出するタイムコード不連続箇所検出手段と、前記タイムコード不連続箇所検出手段が検出した不連続箇所のタイムコードを記憶する記憶手段と、前記編集手段に前記記憶手段が記憶した不連続箇所のタイムコードに係る編集リストを作成させ当該編集リストを前記記録手段によって記録媒体に記録させる制御を行う制御手段とを備える。【選択図】      図１
2005108312.tif 000002
【特許請求の範囲】
【請求項１】
オーディオデータ及び該オーディオデータに付随するタイムコードを記録媒体に記録する記録手段と、オーディオデータを編集し編集内容を記述した編集リストを作成する編集手段と、記録媒体に記録されたオーディオデータを編集リストに従って再生する再生手段を備えるオーディオ編集記録再生装置であって、オーディオデータに付随するタイムコードの不連続箇所を検出するタイムコード不連続箇所検出手段と、前記タイムコード不連続箇所検出手段が検出した不連続箇所のタイムコードを記憶する記憶手段と、前記編集手段に前記記憶手段が記憶した不連続箇所のタイムコードに係る編集リストを作成させ当該編集リストを前記記録手段によって記録媒体に記録させる制御を行う制御手段とを備えることを特徴とするオーディオ編集記録再生装置。
【発明の詳細な説明】
【技術分野】
【０００１】
本発明は、オーディオデータを編集し、オーディオデータをディスク等の情報記録媒体に記録し再生するオーディオ編集記録再生装置に関する。
【背景技術】
【０００２】
オーディオデータを編集し、オーディオデータをディスク等の情報記録媒体に記録し再生するオーディオ編集記録再生装置がある。このようなオーディオ編集記録再生装置は、オーディオデータ及びオーディオデータに付随するタイムコードを情報記録媒体に記録し、オーディオデータの複製、移動、分割、削除等の編集を行う。タイムコードは、時、分、秒のデータを有し、オーディオデータの時間経過を連続的に示す情報として記録されている。そして、このオーディオ編集記録再生装置は、オーディオデータの編集において、情報記録媒体に記録されるオーディオデータ自体を編集せず、行った編集内容を記述した編集リストを作成し、編集リストに基づいてオーディオデータの再生を行う。
【０００３】
放送用途等において、楽曲、自然音、効果音などのオーディオデータの一まとまり(以下、素材という。)をＤＡＴ等の記録媒体に記録して用いる場合、当該素材内のオーディオデータに連続したタイムコードを付し、素材と素材の間でタイムコードを不連続にすることによって区切り、複数の素材を１つのファイルとして記録することがある。このようにして記録された記録媒体を再生し、オーディオ編集記録再生装置に入力して情報記録媒体に記録する場合、従来のオーディオ編集記録再生装置は、オーディオデータに付随するタイムコードの記録領域を備えていないため、複数の素材を通してタイムコードが連続するファイルとして記録していた。
【０００４】
情報記録媒体としてミニディスク（Mini Disc、以下、ＭＤという。）を用いてオーディオデータを当該ＭＤに記録する場合、ＭＤのフォーマットはタイムコードの記録領域を備えないため、入力されたオーディオデータに付随するタイムコードのうち、トラックの開始、又は当該トラックの開始及び終了のタイムコードを文字データに変換してＭＤのＵＴＯＣ(Users Table Of Contents)領域のトラックネーム格納領域に記録し、記録したオーディオデータを再生するときにトラックの開始、又はトラックの開始及び終了のタイムコードを再生し、入力されたタイムコードのフォーマットに変換して出力する光ディスク装置がある（特許文献１参照）。特許文献１に記載されたトラックは、オーディオ編集記録再生装置で素材として用いられる楽曲に相当する。
【特許文献１】特開平１０−１１６４８３号公報
【発明の開示】
【発明が解決しようとする課題】
【０００５】
従来のオーディオ編集記録再生装置は、素材間でタイムコードを不連続にすることによって区切られたオーディオデータを入力して情報記録媒体に記録する場合、オーディオデータに付随するタイムコードの記録領域を備えていないため、素材間を区切って記録することができなかった。
特許文献１に記載の光ディスク装置は、入力されたオーディオデータの途中に素材間の区切りを示すためのタイムコードが不連続の箇所があった場合であっても、当該不連続箇所を示す情報を記録することはできなかった。
オーディオ編集記録再生装置において、オーディオデータを情報記録媒体に記録する場合、タイムコードの不連続箇所で素材毎に区切って記録したいという要求があった。
【課題を解決するための手段】
【０００６】
本願の請求項１に記載のオーディオ編集記録再生装置は、オーディオデータ及び該オーディオデータに付随するタイムコードを記録媒体に記録する記録手段と、オーディオデータを編集し編集内容を記述した編集リストを作成する編集手段と、記録媒体に記録されたオーディオデータを編集リストに従って再生する再生手段を備えるオーディオ編集記録再生装置であって、オーディオデータに付随するタイムコードの不連続箇所を検出するタイムコード不連続箇所検出手段と、前記タイムコード不連続箇所検出手段が検出した不連続箇所のタイムコードを記憶する記憶手段と、前記編集手段に前記記憶手段が記憶した不連続箇所のタイムコードに係る編集リストを作成させ当該編集リストを前記記録手段によって記録媒体に記録させる制御を行う制御手段とを備えるものである。
【発明の効果】
【０００７】
本発明のオーディオ編集記録再生装置によれば、記録対象のオーディオデータに付随するタイムコードに基づいて編集リストを作成し、タイムコードの不連続箇所でオーディオデータを区切って記録することができる。
【発明を実施するための最良の形態】
【０００８】
図１は、本発明のオーディオ編集記録再生装置の一実施例の構成を示すブロック図である。外部のＤＡＴ装置、ビデオテープレコーダ（Video Tape Recorder、以下、ＶＴＲという。）等によって再生されたオーディオデータ及びタイムコード（Time Code、以下、ＴＣという。）がオーディオ編集記録再生装置に入力される場合、オーディオデータはシステムコントローラ１に入力され、ＴＣはＴＣ不連続検出部４に入力される。
システムコントローラ１は、入力されたオーディオデータに、操作部２から入力される操作に基づいて、編集、記録、再生の処理を行う。操作部２は、オーディオデータの記録、再生の操作を行うためのボタン、編集機能を選択しオーディオデータの編集操作を行うためのボタン、記録、再生、編集の操作におけるＴＣを指定するためのジョグホイールを備える。
【０００９】
ディスクドライブ３は、システムコントローラ１から入力されるオーディオデータのディスクへの記録を行う。ＴＣ不連続検出部４は、入力されたＴＣの不連続箇所を検出し検出結果をシステムコントローラ１に出力し、ＴＣをシステムコントローラ１に出力する。ＴＣ記憶部５は、システムコントローラ１から入力されるＴＣ不連続検出部４が検出した不連続箇所のＴＣを記憶する。オーディオ出力部６は、ディジタルアナログ変換回路及び増幅回路を備え、システムコントローラ１から入力されるオーディオデータをアナログオーディオ信号に変換し増幅する。スピーカ７Ａ、スピーカ７Ｂは、オーディオ出力部６から入力されるアナログオーディオ信号を音として出力する。ディスプレイ８は、システムコントローラ１から入力されるオーディオデータに基づくオーディオ信号波形を時間軸上に表示する。
【００１０】
オーディオデータを編集する場合、システムコントローラ１は、操作部２から入力される編集操作に基づいて、編集リストを作成する。図６は、本実施例のオーディオ編集記録再生装置が作成する編集リストを説明するための図である。編集リストには、通し番号(No.)、ファイル名、ファイル内位置ＴＣ、素材開始ＴＣ、及びオーディオデータの再生時間が記述される。ファイルは、複数の素材がファイル内に記録されて構成される。ファイル内位置ＴＣは、ファイルの開始位置を基準のＴＣ(＝00:00:00)としてシステムコントローラ１がカウントしてファイル内の素材の開始位置に付加したＴＣである。素材開始ＴＣは、オーディオデータに付随して外部からＴＣ不連続検出部４を介してシステムコントローラ１に入力された素材毎の開始ＴＣである。ＴＣの記述形式aa:bb:ccは、aa時bb分cc秒を示す。編集リストには、この他の情報が追加されて用いられることもある。
【００１１】
オーディオデータはシステムコントローラ１に入力され、オーディオデータに付随するＴＣはＴＣ不連続検出部４に入力される。オーディオデータをディスクに記録する場合、システムコントローラ１は、操作部２から入力される記録操作に基づいて、オーディオデータ、ＴＣ、及び編集リストをディスクドライブ３に出力する。ＴＣ不連続検出部４は、入力されたＴＣをシステムコントローラ１に出力するとともに、ＴＣの不連続箇所を検出し不連続箇所のＴＣを示す情報をシステムコントローラ１に出力する。システムコントローラ１は、オーディオデータに付随して外部からＴＣ不連続検出部４を介して入力されるＴＣであって不連続箇所にあたるＴＣを素材開始ＴＣとして編集リストに記述し、システムコントローラ１に入力されるオーディオデータの開始ＴＣを00:00:00として起算しシステムコントローラ１がカウントしたＴＣであって不連続箇所にあたるＴＣをファイル内位置ＴＣとして編集リストに記述する。ＴＣ記憶部５は、システムコントローラ１から入力される不連続箇所のファイル内位置ＴＣ及び素材開始ＴＣを記憶する。ディスクドライブ３は、ディスクドライブ３内に装填されたディスクに、システムコントローラ１から入力されるオーディオデータ、ＴＣ、及び編集リストを記録する。
【００１２】
図２は、本発明のオーディオ編集記録再生装置の一実施例の不連続箇所の検出動作を示すフローチャートである。システムコントローラ１がＴＣ不連続検出部４に不連続箇所の検出動作を開始させる場合、ＴＣ不連続検出部４は、初期値として、ＴＣの前回値ＴＣpre＝00:00:00に設定する(Ｓ１)。ＴＣ不連続検出部４は入力されるＴＣを読み取り(Ｓ２)、前回値ＴＣpreに１秒加算した値と比較する(Ｓ３)。ＴＣと(ＴＣpre＋１)秒とが等しければ(Ｓ３でＹＥＳ)、ＴＣpreにＴＣの値を代入する(Ｓ４)。
【００１３】
操作部２からＴＣ検出を終了する操作がなければ(Ｓ５でＮＯ)、Ｓ２に戻りＴＣの読み取り以後の処理を行う。Ｓ３で、ＴＣと(ＴＣpre＋１)秒とが等しくなければ(Ｓ３でＮＯ)、ＴＣ不連続検出部４は、ＴＣが不連続であると判定し、不連続箇所のＴＣを示す情報をシステムコントローラ１に入力する。システムコントローラ１は、ＴＣ記憶部５に不連続箇所のファイル内位置ＴＣと素材開始ＴＣを記憶させる(Ｓ６)。ＴＣpreにＴＣの値を代入し(Ｓ４)、操作部２からＴＣ検出を終了する操作がなければ(Ｓ５でＮＯ)、Ｓ２に戻りＴＣの読み取り以後の処理を行う。Ｓ５で、操作部２からＴＣ検出を終了する操作があれば(Ｓ５でＹＥＳ)、終了する。
【００１４】
図３は、本実施例のオーディオ編集記録再生装置のオーディオデータの一例を示す図である。図４は、本実施例のオーディオ編集記録再生装置が作成する編集リストの一例を示す図である。ここで、オーディオ編集記録再生装置に入力されるオーディオデータは、図３(ａ)に示すように、２５分間にわたって、ＴＣが異なる３とおりの素材が記録されている。第１の素材はＴＣ＝00:00:00から５分間、第２の素材はＴＣ＝10:10:00から10分間、第３の素材はＴＣ＝09:00:00から10分間、記録されている。
【００１５】
操作部２から記録開始の操作があると、システムコントローラ１は、入力されたオーディオデータをディスクドライブ３に出力しディスクに記録開始させるとともに、ＴＣ不連続検出部４はＴＣの不連続箇所を検出する。ＴＣ不連続検出部４が不連続箇所を検出した場合、システムコントローラ１を介して、不連続箇所のファイル内位置ＴＣ及び素材開始ＴＣが、順次、ＴＣ記憶部５に記憶される。ここで記憶部５に記憶されるＴＣを図５に示す。第１の不連続箇所のファイル内位置ＴＣは00:05:00、素材開始ＴＣは10:10:00である。第２の不連続箇所のファイル内位置ＴＣは00:15:00、素材開始ＴＣは09:00:00である。オーディオデータは、一旦、図３(ｂ)に示すように、00:00:00から２５分間の一連のオーディオデータのファイルとして記録される。この状態の編集リストは、図４(ａ)に示すように、ファイル内位置ＴＣ＝00:00:00、素材開始ＴＣ＝00:00:00、再生時間２５分の一連のオーディオデータである。
【００１６】
システムコントローラ１は、２つの不連続箇所のタイムコードを用いて編集リストを作成する。まず、それぞれの不連続箇所で一連のオーディオデータを分割する編集を行う。第１の不連続箇所におけるファイル内位置ＴＣが00:05:00であることから、図３(ｂ)に示す一連のオーディオデータの先頭から５分後で分割する。第２の不連続点におけるファイル内位置ＴＣが00:15:00であることから、図３(ｂ)に示す一連のオーディオデータの先頭から１５分後で分割する。この状態の編集リストは、図４(ｂ)に示すように、ファイル内位置ＴＣ＝00:00:00、素材開始ＴＣ＝00:00:00、再生時間５分の第１の素材、ファイル内位置ＴＣ＝00:05:00、素材開始ＴＣ＝10:10:00、再生時間１０分の第２の素材、ファイル内位置ＴＣ＝00:15:00、素材開始ＴＣ＝09:00:00、再生時間１０分の第３の素材の編集リストである。
【００１７】
ディスプレイ８は、システムコントローラ１から入力されるオーディオデータを、編集リストの素材開始ＴＣから時間軸上に配置して表示する。素材毎に分割した各々のオーディオデータを、ＴＣ記憶部５に記憶した素材開始ＴＣの位置に配置する。第１の素材は、素材開始ＴＣが00:00:00であるので、そのまま時間軸上の00:00:00に合わせて配置される。第２の素材は、素材開始ＴＣ10:10:00を時間軸上の10:10:00の位置に移動する。第３の素材は、素材開始ＴＣ09:00:00を時間軸上の09:00:00の位置に移動する。図３(ｃ)に示すように、編集リストに従って、時間軸上に素材開始ＴＣを合わせて各素材を配置して表示する。ここで、10:10:00から開始する第２の素材よりも、09:00:00から開始する第３の素材の方が前に表示される。各素材の間の空き時間分は、時間軸上の表示でも空きとして表示される。
【００１８】
オーディオデータを再生する場合、システムコントローラ１は、操作部２から入力される再生操作に基づいて、ディスクに記録されている編集リストを読み出し、当該編集リストに従って、ディスクに記録されているオーディオデータを読み出し、オーディオ出力部６に出力する。オーディオ出力部６は、オーディオデータをアナログオーディオ信号に変換し増幅して、使用者前方の左右に配置したスピーカ７Ａ、スピーカ７Ｂを介して音として出力する。オーディオデータを直接編集することなく、編集リストに基づいて、編集内容に沿ったオーディオデータの再生を行う。本実施例では、ＴＣの不連続箇所で素材ごとに区切ったオーディオデータとして再生することができる。
【００１９】
なお、本実施例のオーディオ編集記録再生装置は、不連続箇所１箇所を検出したときに編集リストを作成しオーディオデータを区切って記録する構成としたが、ビデオテープの傷等によって、ＴＣが連続しているべき箇所であっても不連続として検出される場合がある。そのような誤検出を回避するため、不連続箇所を複数連続して検出したときに、その不連続箇所の最初を不連続箇所と判断する構成として実施することもできる。
【図面の簡単な説明】
【００２０】
【図１】本発明のオーディオ編集記録再生装置の一実施例の構成を示すブロック図である。
【図２】本発明のオーディオ編集記録再生装置の一実施例の不連続箇所の検出動作を示すフローチャートである。
【図３】本実施例のオーディオ編集記録再生装置のオーディオデータの一例を示す図である。
【図４】本実施例のオーディオ編集記録再生装置が作成する編集リストの一例を示す図である。
【図５】本実施例のＴＣ記憶部５が記憶するＴＣの一例を示す図である。
【図６】本実施例のオーディオ編集記録再生装置が作成する編集リストを説明するための図である。
【符号の説明】
【００２１】
１  システムコントローラ
２  操作部
３  ディスクドライブ
４  タイムコード不連続検出部（ＴＣ不連続検出部）
５  タイムコード記憶部（ＴＣ記憶部）
６  オーディオ出力部
７Ａ、７Ｂ  スピーカ
８  ディスプレイ
【図１】
2005108312.tif 000003
【図２】
2005108312.tif 000004
【図３】
2005108312.tif 000005
【図４】
2005108312.tif 000006
【図５】
2005108312.tif 000007
【図６】
2005108312.tif 000008